(57)【要約】【課題】記録部数の違いに応じて読み取り解像度を異ならせる場合において、記録完了までに要する時間を短くすることを可能とする。【解決手段】特定キーが押下されると（Ｓ１：ＹＥＳ）、高解像度読取モードでの原稿の読み取りのための第１制御パラメータを取得する第１準備動作を一次準備動作として開始する（Ｓ２）。特定キーが追加押下されなければ（Ｓ８：ＹＥＳ）、第１制御パラメータを用いた原稿読取（Ｓ６〜Ｓ１０）で生成された画像データに基づいて１部の印刷を行う（Ｓ９〜Ｓ１１）。特定キーが追加押下されれば（Ｓ３及びＳ７：ＹＥＳ）、低解像度読取モードでの原稿の読み取りのための第２制御パラメータを取得する第２準備動作を二次準備動作として開始する（Ｓ１４）。そして、第２制御パラメータを用いた原稿読取（Ｓ１９〜Ｓ２０）で生成された画像データに基づいて２部以上の印刷を行う（Ｓ２４〜Ｓ２５）。【選択図】図６
2020162097.tif 000002
【特許請求の範囲】
【請求項１】
ユーザー操作に応じた信号を出力する信号出力部と、
原稿を読み取って、第１解像度及び前記第１解像度よりも低い第２解像度のいずれかを有する画像データを生成する読取部と、
記録媒体に画像を形成する記録部と、
前記読取部及び前記記録部を制御する制御部とを備えた画像形成装置であって、
前記制御部は、
（ａ）前記信号出力部から信号が出力されたことをトリガとして、前記第１解像度に対応した高解像度読取モードでの原稿の読み取りのための第１制御パラメータを取得する第１準備動作、又は、前記第２解像度に対応した低解像度読取モードでの原稿の読み取りのための第２制御パラメータを取得する第２準備動作を開始するように、前記読取部を制御する一次準備動作開始処理と、
（ｂ）前記第１準備動作又は前記第２準備動作が前記一次準備動作開始処理によって開始された後に、前記信号出力部から出力された信号パターンに基づいて、前記記録部によって行われる連続した記録部数が所定部数未満又は以上のいずれであるかを判断する判断処理と、
（ｃ１）前記一次準備動作開始処理で前記第１準備動作が開始され且つ前記判断処理において記録部数が前記所定部数未満と判断された場合に、当該第１準備動作によって取得された前記第１制御パラメータを用いた前記高解像度読取モードで前記読取部に原稿を読み取らせて画像データを生成させる読取処理、
（ｃ２）前記一次準備動作開始処理で前記第１準備動作が開始され且つ前記判断処理において記録部数が前記所定部数以上と判断された場合に、前記第２準備動作を開始するように、前記読取部を制御する二次準備動作開始処理、及び、当該第２準備動作によって取得された前記第２制御パラメータを用いた前記低解像度読取モードで前記読取部に原稿を読み取らせて画像データを生成させる読取処理、
（ｃ３）前記一次準備動作開始処理で前記第２準備動作が開始され且つ前記判断処理において記録部数が前記所定部数以上と判断された場合に、当該第２準備動作によって取得された前記第２制御パラメータを用いた前記低解像度読取モードで前記読取部に原稿を読み取らせて画像データを生成させる読取処理、並びに、
（ｃ４）前記一次準備動作開始処理で前記第２準備動作が開始され且つ前記判断処理において記録部数が前記所定部数未満と判断された場合に、前記第１準備動作を開始するように、前記読取部を制御する二次準備動作開始処理、及び、当該第１準備動作によって取得された前記第１制御パラメータを用いた前記高解像度読取モードで前記読取部に原稿を読み取らせて画像データを生成させる読取処理、
のいずれかの処理と、
（ｄ）前記信号出力部から出力された信号パターンに基づいて、前記記録部によって行われる連続した記録部数を決定する決定処理と、
（ｅ）前記読取処理において生成された画像データに基づいて、前記決定処理で決定された前記記録部数の記録媒体に、前記記録部により画像を形成させる記録処理とを実行する画像形成装置。
【請求項２】
前記制御部は、
（ｃ２）の前記二次準備動作開始処理において、前記一次準備動作開始処理で前記第１準備動作が開始され且つ前記判断処理において記録部数が前記所定部数以上と判断された場合に、当該第１準備動作が完了していなければ、当該第１準備動作を中断してから、前記第２準備動作を開始するように、前記読取部を制御し、
（ｃ４）の前記二次準備動作開始処理において、前記一次準備動作開始処理で前記第２準備動作が開始され且つ前記判断処理において記録部数が前記所定部数未満と判断された場合に、当該第２準備動作が完了していなければ、当該第２準備動作を中断してから、前記第１準備動作を開始するように、前記読取部を制御する請求項１に記載の画像形成装置。
【請求項３】
前記制御部は、前記決定処理において、最初に前記信号出力部から出力された信号から、隣接する信号との間隔が所定時間を超えない範囲となるように前記信号出力部から出力された信号の数に応じて記録部数を決定する請求項１又は２に記載の画像形成装置。
【請求項４】
前記制御部は、前記決定処理において、（ｃ２）又は（ｃ４）の前記読取処理及びその後の前記記録処理の実行中においても、隣接する信号との間隔が前記所定時間を超えない範囲で前記信号出力部から信号が出力された場合には、記録部数を追加する請求項３に記載の画像形成装置。
【請求項５】
前記画像形成装置の動作に関してユーザが設定可能な設定情報を記憶する設定情報記憶部をさらに備えており、
前記制御部は、前記設定情報記憶部に記憶された設定情報に応じて、前記一次準備動作開始処理において、前記第１準備動作及び前記第２準備動作のいずれかを開始するように、前記読取部を制御する請求項１〜４のいずれか１項に記載の画像形成装置。
【請求項６】
前記記録部に記録媒体を供給する複数の給紙部をさらに備えており、
前記制御部は、前記複数の給紙部のうちで記録媒体の最大積載量が最も少ないものが使用されることが前記設定情報記憶部に前記設定情報として記憶されている場合、前記一次準備動作開始処理において、前記第１準備動作を開始するように、前記読取部を制御する請求項５に記載の画像形成装置。
【請求項７】
前記第１準備動作及び前記第２準備動作で所得される前記第１制御パラメータ及び前記第２制御パラメータが、前記読取部内の光源に流す電流値、ＡＤコンバータの基準電圧、及び、白黒濃度補正パラメータの少なくともいずれか１つを含む請求項１〜６のいずれか１項に記載の画像形成装置。
【請求項８】
前記一次準備動作開始処理で開始された前記第１準備動作又は前記第２準備動作の完了までに前記判断処理が行われなかった場合に、前記判断処理が実行されるのを待たずに、（ｃ１）又は（ｃ３）の前記読取処理を開始するように前記読取部を制御し、その後、前記判断処理において（ｃ１）又は（ｃ３）で規定されたのとは異なる判断がなされた場合に、それぞれ（ｃ２）又は（ｃ４）の前記二次準備動作開始処理及び前記読取処理を開始するように前記読取部を制御する請求項１〜７のいずれか１項に記載の画像形成装置。
【発明の詳細な説明】
【技術分野】
【０００１】
本発明は、原稿の読取部を有する画像形成装置に関する。
【背景技術】
【０００２】
特許文献１には、複写部数を指定するためのテンキーを有する複写機が開示されている。この複写機では、テンキーで複写部数が設定された後、複写部数が１部であれば、画像読み取り部で読み取った画像データを画像データ制御部からプリンタインターフェース部を介して直接プリンタ部へ送る。また、複写部数が複数部であれば、画像読み取り部で読み取った画像データを画像データ制御部からページメモリに一旦格納し、ページメモリからプリンタ部へと画像データを送る動作を複写部数分繰り返す。このようにすることで、複写部数が複数部であっても、画像読み取り部での読み取り、画像処理部での画像処理、画像データ制御部からの画像データの転送が１回で済み、複写にかかる時間を短縮することができる。
【先行技術文献】
【特許文献】
【０００３】
【特許文献１】特開平９−２００４１６号公報
【発明の概要】
【発明が解決しようとする課題】
【０００４】
特許文献１に記載された技術を採用してコピー処理を行う場合、１部コピーの場合には高解像度で読み取りを行うことができても、複数部コピーの場合には、機器内のメモリ容量制限のために、低解像度で読み取りを行わざるを得ないことがある。そして、読み取り解像度の違いに起因して、読み取り前に行われる読み取り処理に関する調整及び補正処理（準備動作）も、１部コピーの場合と複数部コピーの場合とで異なるものとする必要がある。
【０００５】
近年、原稿の読取部を有するインクジェットプリンタなどの画像形成装置において、製造コストを考慮して、テンキー及びタッチパネルのないものが販売されている。このような画像形成装置において、複写部数を指定するには、プリントスタートキーなどの特定キーをユーザが所望する複写部数と同じ回数だけ押下することが考えられる。この場合、例えば、特定キーの最後の押下から所定時間が経過した時点で複写部数が確定される。しかしながら、このような画像形成装置に、特許文献１に記載された技術を採用してコピー処理を行うと、特定キーの最初の押下から複写部数が確定されて読み取り前に行われる調整及び補正処理が開始されるまでの時間が長くなるため、コピー完了までに要する時間もそれに応じて長くなってしまう。また、テンキー及びタッチパネルのある画像形成装置においても、複写部数の確定までにはある程度の時間を要するため、同様の問題が生じる。
【０００６】
本発明の目的は、記録部数の違いに応じて読み取り解像度を異ならせる場合において、記録完了までに要する時間を短くすることが可能な画像形成装置を提供することである。
【課題を解決するための手段】
【０００７】
本発明に係る画像形成装置は、ユーザー操作に応じた信号を出力する信号出力部と、原稿を読み取って、第１解像度及び前記第１解像度よりも低い第２解像度のいずれかを有する画像データを生成する読取部と、記録媒体に画像を形成する記録部と、前記読取部及び前記記録部を制御する制御部とを備えた画像形成装置である。
前記制御部は、
（ａ）前記信号出力部から信号が出力されたことをトリガとして、前記第１解像度に対応した高解像度読取モードでの原稿の読み取りのための第１制御パラメータを取得する第１準備動作、又は、前記第２解像度に対応した低解像度読取モードでの原稿の読み取りのための第２制御パラメータを取得する第２準備動作を開始するように、前記読取部を制御する一次準備動作開始処理と、
（ｂ）前記第１準備動作又は前記第２準備動作が前記一次準備動作開始処理によって開始された後に、前記信号出力部から出力された信号パターンに基づいて、前記記録部によって行われる連続した記録部数が所定部数未満又は以上のいずれであるかを判断する判断処理と、
（ｃ１）前記一次準備動作開始処理で前記第１準備動作が開始され且つ前記判断処理において記録部数が前記所定部数未満と判断された場合に、当該第１準備動作によって取得された前記第１制御パラメータを用いた前記高解像度読取モードで前記読取部に原稿を読み取らせて画像データを生成させる読取処理、
（ｃ２）前記一次準備動作開始処理で前記第１準備動作が開始され且つ前記判断処理において記録部数が前記所定部数以上と判断された場合に、前記第２準備動作を開始するように、前記読取部を制御する二次準備動作開始処理、及び、当該第２準備動作によって取得された前記第２制御パラメータを用いた前記低解像度読取モードで前記読取部に原稿を読み取らせて画像データを生成させる読取処理、
（ｃ３）前記一次準備動作開始処理で前記第２準備動作が開始され且つ前記判断処理において記録部数が前記所定部数以上と判断された場合に、当該第２準備動作によって取得された前記第２制御パラメータを用いた前記低解像度読取モードで前記読取部に原稿を読み取らせて画像データを生成させる読取処理、並びに、
（ｃ４）前記一次準備動作開始処理で前記第２準備動作が開始され且つ前記判断処理において記録部数が前記所定部数未満と判断された場合に、前記第１準備動作を開始するように、前記読取部を制御する二次準備動作開始処理、及び、当該第１準備動作によって取得された前記第１制御パラメータを用いた前記高解像度読取モードで前記読取部に原稿を読み取らせて画像データを生成させる読取処理、
のいずれかの処理と、
（ｄ）前記信号出力部から出力された信号パターンに基づいて、前記記録部によって行われる連続した記録部数を決定する決定処理と、
（ｅ）前記読取処理において生成された画像データに基づいて、前記決定処理で決定された前記記録部数の記録媒体に、前記記録部により画像を形成させる記録処理とを実行する。
【発明の効果】
【０００８】
記録部数が確定する前に２つの準備動作の一方を開始するので、記録部数が一次準備動作（（ａ）で開始した準備動作）に適合したものであれば、記録完了までに要する時間を短くすることができる。また、記録部数が一次準備動作に適合したものでなくても、従来技術に比べて記録完了までに要する時間が長くなることがない。
【図面の簡単な説明】
【０００９】
【図１】本発明の一実施形態に係る画像形成装置としての複合機を示す斜視図である。
【図２】図１に示す複合機に搭載されたプリント部の内部構造を示す概略側面図である。
【図３】図１に示す複合機に搭載された読取装置のカバーが開状態での上面図である。
【図４】図３に示す読取装置の内部構造を示す概略側面図である。
【図５】図１に示す複合機のブロック図である。
【図６】図１に示す複合機の動作を示すフローチャートである。
【図７】変形例１に係る複合機のコピー動作を示すフローチャートである。
【図８】変形例２に係る複合機のコピー動作を示すフローチャートである。
【発明を実施するための形態】
【００１０】
［装置全体構成］
以下、本発明の好適な一実施形態について、図面を参照しつつ説明する。本実施形態においては、プリント機能、スキャン機能、ファックス機能及びコピー機能を有する、いわゆる複合機（ＭＦＰ）について説明する。なお、複合機には、コピー機能だけが備えられていてもよい。
【００１１】
図１に示すように、複合機１は、筐体１１と、筐体１１の上面を被覆する位置と被覆しない位置との間で揺動可能となるように筐体１１に取り付けられたカバー３２と、筐体１１の下部に設けられた開口１３（図２参照）から筐体１１に着脱可能に収納された給紙トレイ９１と、排出トレイ５と、筐体１１の背部に位置するバイパストレイ９３（図２参照）とを含む。筐体１１内には、インクジェット方式で用紙に画像を形成するプリント部１０が配置されている。また、プリント部１０の上方には、原稿を読み取って画像データを生成するフラットベッド方式の読取部３０が配置されている。変形例として、読取部３０は原稿自動送り装置 (ADF：Auto Document Feeder)を有するものであってもよい。筐体１１の表面に配置された操作パネル１ａには、液晶パネルなどのディスプレイ及びテンキーが設けられておらず、コピースタートキーなどの数個の物理キー（例えば図２に示す操作キー２８）とガイドランプ（例えば図２に示すＬＥＤランプ２９）が設けられている。
【００１２】
読取部３０は、プラテンガラス３１と、カバー３２と、読取デバイス３３（図３参照）とを含む。プラテンガラス３１は、透光性を有する板状の部材であり、筐体１１の上面の開口１１ａ（図３及び図４参照）に嵌め込まれている。
【００１３】
図２は、複合機１内のプリント部１０の内部構成を示している。以下の説明においては、複合機１が使用可能に設置された状態（図２の状態）を基準として上下方向が定義され、筐体１１の開口１３が設けられている側を手前側（正面）として前後方向が定義され、複合機１を手前側（正面）から見て左右方向が定義される。
【００１４】
［プリント部］
プリント部１０は、図２に示すように、給紙トレイ９１、バイパストレイ９３、排出トレイ５、プリントモジュール６、搬送部７、及び制御部８を有する。給紙トレイ９１、プリントモジュール６、搬送部７、及び制御部８は、複合機１の筐体１１内に収容されている。制御部８は、複合機１全体の制御を行う。筐体１１内において、プリントモジュール６の下方には給紙トレイ９１が配置されている。筐体１１の前面には１以上の操作キー２８及び１以上のＬＥＤランプ２９が設けられている。なお、図２においては図示を省略しているが、複合機１は、プリントモジュール６よりも上方に配置されたフラットベッド方式の読取部（イメージスキャナ）３０と、ファクシミリの受送信を行うファクシミリ通信部２６（図５参照）とをさらに有している。
【００１５】
給紙トレイ９１は、複数の用紙９を積層状態で支持して収容することが可能なものである。給紙トレイ９１は、筐体１１の正面に形成された開口１３から前後方向に挿抜可能となっている。なお、給紙トレイ９１の前方側の上方には排出トレイ５が配置されており、排出トレイ５は給紙トレイ９１と共に移動するようになっている。給紙トレイ９１は、用紙９を支持する支持面９１ａを有している。支持面９１ａは上下方向に垂直な面である。給紙トレイ９１が筐体１１内に位置しているときは、支持面９１ａは筐体１１の内部空間に露出している。給紙トレイ９１の後端部には、傾斜板９１ｂが設けられている。
【００１６】
バイパストレイ９３は、筐体１１の背面に形成された開口１４を閉塞可能に配置されている。バイパストレイ９３は、用紙９を支持する支持面９３ａを有するベース板９４の下端部が左右方向に延びる軸を中心に回動可能となっており、図２に破線で示すように、ベース板９４が起立状態となる位置（以降、単に「起立位置」と称する）であるときに開口１４を覆う。起立位置にあるときは、支持面９３ａは開口１４と対向している。バイパストレイ９３は、起立位置から、ベース板９４の下端部を中心に、上下方向に対して傾斜した位置（以降、単に「傾斜位置」と称する）まで回動する。傾斜位置にあるときは、支持面９３ａは回動軸を下方として斜め上方を向いている。ベース板９４の左右方向両端及び回動端とは反対側の端には支持面９３ａを取り囲むように立設させた側壁９５、９６が設けられており、バイパストレイ９３は略箱状に形成されている。ベース板９４の回動端とは反対側の端に立設された側壁９６は、ベース板９４側の端部が左右方向に延びる軸を中心に回動可能となっている。バイパストレイ９３に用紙９を支持させるときには、ベース板９４を傾斜位置とし、側壁９６を回動させてその内側面（バイパストレイ９３が略箱状であるときに内側を向く面）が支持面９３ａとほぼ面一となるようにする。このとき、バイパストレイ９３の支持面９３ａは外部に露出した状態となる。
【００１７】
本実施形態において、バイパストレイ９３における用紙最大積載量は、給紙トレイ９１における用紙最大積載量よりも少なくなっている。なお、給紙トレイ９１の下方にこれと同サイズの別の一又は複数の給紙トレイが配置される場合がある。このように複合機１が３以上の給紙部を有する場合においても、すべてのトレイの中でバイパストレイ９３の用紙最大積載量が最小となっている。
【００１８】
プリントモジュール６は、キャリッジ６１と、記録ヘッド６３とを有している。キャリッジ６１は、２つのガイドレール６７ａ、６７ｂによって支持されている。２つのガイドレール６７ａ、６７ｂは、前後方向に互いに離隔して配置され、各々が左右方向に延設されている。キャリッジ６１は、２つのガイドレール６７ａ、６７ｂを跨ぐようにして配置されている。キャリッジ６１は、キャリッジ駆動モータ２１（図５参照）により、２つのガイドレール６７ａ、６７ｂに沿って主走査方向である左右方向に往復移動される。記録ヘッド６３は、キャリッジ６１に搭載されている。記録ヘッド６３は、インクカートリッジ（不図示）から供給されたインクを、下面のノズル面６９に設けられた複数のノズル（不図示）から吐出する。
【００１９】
搬送部７は、用紙９をプリント部１０の内部において搬送するものであり、給紙ローラ５０ａ、５０ｂ、搬送ローラ対７１、排出ローラ対７３、プラテン７５、及びガイド部材１６〜１９を含む。給紙ローラ５０ａは、給紙トレイ９１内の用紙９を後方に向かって送り出す。給紙ローラ５０ｂは、バイパストレイ９３内の用紙９を開口１４に向かって送り出す。
【００２０】
給紙ローラ５０ａは、給紙トレイ９１の上方に配置されている。給紙ローラ５０ａは、アーム５１ａの一端部に回動可能に支持されている。アーム５１ａの給紙ローラ５０ａを支持している一端側とは反対の他端部は、筐体１１に固定され左右方向に延びる支軸５２ａに支持されており、支軸５２ａを中心として左右方向と直交する面内で揺動可能となっている。アーム５１ａは、ばね（不図示）により給紙ローラ５０ａが給紙トレイ９１に支持された用紙９を押圧する方向に付勢されており、給紙ローラ５０ａは、給紙トレイ９１に支持された用紙のうちで最も上に位置する用紙９と接触するようになっている。また、給紙ローラ５０ａは、給紙モータ２２ａ（図５参照）からの駆動力が付与されて回転する。
【００２１】
給紙ローラ５０ｂは、バイパストレイ９３の支持面９３ａと対向する位置に配置されている。給紙ローラ５０ｂは、アーム５１ｂの一端部に回動可能に支持されている。アーム５１ｂの給紙ローラ５０ｂを支持している一端側とは反対の他端部は、バイパストレイ９３に固定され左右方向に延びる支軸５３ｂに支持されており、アーム５１ｂは支軸５３ｂを中心として左右方向と直交する面内で揺動可能となっている。また、アーム５１ｂは、ばね（不図示）により給紙ローラ５０ｂがバイパストレイ９３に支持された用紙のうちで最も上に位置する用紙９を押圧する方向に付勢されている。そして、給紙ローラ５０ｂは、給紙モータ２２ｂ（図５参照）からの駆動力が付与されて回転する。
【００２２】
給紙ローラ５０ｂ、アーム５１ｂ、及び支軸５３ｂは、バイパストレイ９３のベース板９４と３つの側壁９５、９６とで囲まれた領域に配置されている。すなわち、給紙ローラ５０ｂ、アーム５１ｂ、及び支軸５３ｂは、箱状のバイパストレイ９３内に収容される。
【００２３】
搬送ローラ対７１及び排出ローラ対７３は前後方向にプリントモジュール６を挟んで配置されており、搬送ローラ対７１はプリントモジュール６よりも後方に、排出ローラ対７３はプリントモジュール６よりも前方に配置されている。プラテン７５は、プリントモジュール６の下方においてプリントモジュール６のノズル面６９と対向するように配置されている。
【００２４】
搬送ローラ対７１は、搬送モータ２３（図５参照）からの駆動力が付与されて回転する駆動ローラ７１ａと、駆動ローラ７１ａの回転に伴って連れ回る従動ローラ７１ｂとにより構成されている。排出ローラ対７３は、搬送モータ２３からの駆動力が付与されて回転する駆動ローラ７３ａと、駆動ローラ７３ａの回転に伴って連れ回る従動ローラ７３ｂとにより構成されている。
【００２５】
ガイド部材１６〜１９は、筐体１１の後方端部付近に配置されている。ガイド部材１６、１７は前後方向に所定間隔を隔てて互いに対向している。ガイド部材１６、１７の間は、給紙トレイ９１から給紙された用紙９の搬送路となっている。ガイド部材１６、１７は、いずれも湾曲した板状部材であり、給紙トレイ９１の後方側の端部近傍から搬送ローラ対７１の近傍まで延びている。
【００２６】
給紙ローラ５０によって給紙トレイ９１から後方に送り出された用紙９は、給紙トレイ９１の後端部に設けられた傾斜板９１ｂにより斜め上方に向かい、ガイド部材１６、１７の間を通って、搬送ローラ対７１に挟持される位置に到達する。
【００２７】
ガイド部材１８、１９は、いずれも開口１４の近傍から搬送ローラ対７１の近傍まで延びる板状部材であり、上下方向に所定間隔を隔てて互いに対向している。ガイド部材１８、１９の間は、バイパストレイ９３から送り出された用紙９の搬送路となっている。ガイド部材１８、１９によって形成される搬送路と、ガイド部材１６、１７によって形成される搬送路とは、搬送ローラ対７１よりも上流において合流している。
【００２８】
給紙ローラ５０ｂによってバイパストレイ９３から給紙された用紙９は、開口１４を介して筐体１１内へと送り込まれ、ガイド部材１８、１９の間を通って、搬送ローラ対７１に挟持される位置に到達する。
【００２９】
給紙トレイ９１又はバイパストレイ９３から給紙されて搬送ローラ対７１に挟持された用紙９は、搬送ローラ対７１によって前方に搬送される。搬送ローラ対７１によって前方に搬送された用紙９は、プラテン７５によって支持された状態で、主走査方向に移動する記録ヘッド６３のノズル（不図示）からインクが吐出されて画像が記録される。記録済みの用紙９は、排出ローラ対７３によって前方に搬送されて、排出トレイ５に排出される。
【００３０】
［読取部］
次に、図３及び図４を参照しつつ、読取部３０の構成について説明する。読取部３０は、透光性のあるプラテンガラス３１、カバー３２、読取デバイス３３、及び移動機構３４を有している。プラテンガラス３１は、複合機１の直方体形状の筐体１１の上部に形成された開口１１ａを、筐体１１の内側から閉塞している。プラテンガラス３１の上面３１ａにおける開口１１ａから露出している部分が、原稿を支持可能で透光性のある原稿配置領域としての画像読取面となっている。
【００３１】
カバー３２は、その一端部が筐体１１の上面に回動可能に支持されており、プラテンガラス３１の上面３１ａを覆う閉位置（図４中破線で示す位置）と上面３１ａを露出させる開位置（図４中実線で示す位置）とを取り得る。なお、図３は、カバー３２が開位置にある状態で読取部３０を上方から見たときの読取デバイス３３の位置を示すものであり、移動機構３４の図示は省略している。
【００３２】
読取デバイス３３及び移動機構３４は、筐体１１の内部空間に配置されている。読取デバイス３３は、図４に示すように、ＣＭＯＳ（Complementary Metal Oxide Semiconductor）又はＣＣＤ（Charge Coupled Device）を有するイメージセンサ４１、光源４３、ロッドレンズアレイ４５、及びこれらが搭載されるキャリッジ４７などで構成されている。なお、図３においては、イメージセンサ４１のみを図示している。図３に示すように、イメージセンサ４１は、複数の受光素子４０がプラテンガラス３１の上面３１ａと平行な主走査方向（図３紙面における上下方向）に配列されたリニアイメージセンサである。光源４３は、発光ダイオードなどで構成されており、プラテンガラス３１に向けて光線を出射する。ロッドレンズアレイ４５は、光源４３から出射され障害物により反射された光線をイメージセンサ４１の各受光素子４０に結像させる。イメージセンサ４１から出力されるアナログ信号としての画像データは、ＡＤコンバータ４８（図５参照）でデジタル信号に変換されて制御部８に供給される。
【００３３】
移動機構３４は、読取デバイス３３を、プラテンガラス３１の上面３１ａと平行な面内において、主走査方向と直交する副走査方向（図４紙面における左右方向）に移動させるものである。図４に示すように、移動機構３４は、正逆回転可能なモータ５９によって駆動される駆動ローラ５１と、従動ローラ５３と、駆動ローラ５１及び従動ローラ５３に架け渡されたエンドレスのベルト５５などで構成されている。ベルト５５には、読取デバイス３３のキャリッジ４７が取り付けられており、駆動ローラ５１の回転によりベルト５５が走行することで読取デバイス３３が副走査方向に往復移動できるようになっている。駆動ローラ５１及び従動ローラ５３は、副走査方向に関して、プラテンガラス３１の画像読取面の外側にそれぞれ配置されている。よって、読取デバイス３３は、移動機構３４により、プラテンガラス３１の画像読取面の副走査方向に関する一端から他端まで移動可能となっている。なお、読取デバイス３３は、スキャニングが行われていないときは、副走査方向に関して、プラテンガラス３１の画像読取面の側方（図３では左側）であって、画像読取面と対向しないホームポジション（矢印Ｈで示す位置）に配置される。本実施形態において、原稿読み取りのための制御パラメータを取得する準備動作（詳細は後述する）は、読取デバイス３３がホームポジションにある状態で行われる。
【００３４】
本実施形態において、読取部３０は、読取部３０で読み取った原稿と同じ画像を用紙に形成するコピー動作を行う際には、プラテンガラス３１の上面３１ａに配置された原稿を読み取って、高解像度（第１解像度）を有する画像データ、及び、低解像度（第１解像度よりも低い第２解像度）を有する画像データのいずれかを出力することが可能である。前者が生成される読取処理を高解像度読取モードの読取処理、後者が生成される読取処理を低解像度読取モードの読取処理と称する。後述するように、読取部３０は、コピー枚数が１枚のときには高解像度を有する画像データを出力し、コピー枚数が２枚以上のときには低解像度を有する画像データを出力する。
【００３５】
［ブロック構成］
次に、図５を参照して、本実施形態に係る複合機１のブロック構成について説明する。図５に示すように、複合機１の制御部８には、上述した１以上の操作キー２８及び１以上のＬＥＤランプ２９が電気的に接続されている。操作キー２８は、ユーザ操作に応じた出力信号を制御部８に出力する。操作キー２８は、読取部３０で読み取った原稿と同じ画像を用紙に形成するモノクロコピー動作、カラーコピー動作のいずれかを選択且つ実行するための２つのキーを少なくとも含んでいる。モノクロ又はカラーコピーを選択且つ実行するための操作キー２８（以後、「特定キー２８」と称する）は、例えば押下期間に応じた幅を有するパルス信号を出力する。本実施形態においては、特定キー２８が最後に押下されてから再度押下されることなく所定時間（例えば１秒）が経過したとき、当該特定キー２８の押下回数がコピー枚数として決定される。ＬＥＤランプ２９は、制御部８からの出力信号に基づいて表示態様（消灯、点灯、点滅など）が切り替わることで、ユーザへの報知を行うことができる。
【００３６】
また、制御部８には、プリント部１０のキャリッジ駆動モータ２１、記録ヘッド６３、給紙モータ２２ａ、２２ｂ、及び、搬送モータ２３が電気的に接続されている。さらに、制御部８には、読取部３０に含まれる、読取デバイス３３のイメージセンサ４１及び光源４３、並びに、移動機構３４のモータ５９が電気的に接続されている。制御部８には、ＵＳＢ(Universal Serial Bus)インターフェース２５が電気的に接続されている。ＵＳＢインターフェース２５は、ＵＳＢ規格のインターフェースであり、リムーバブルメモリとしてのＵＳＢメモリを接続することができる。
【００３７】
制御部８には、ファクシミリ通信部２６及びネットワーク通信部２７も接続されている。ファクシミリ通信部２６は、電話回線を介して、通信先装置との間でファクシミリ信号としての画像データの受送信を行う。ネットワーク通信部２７は、有線ＬＡＮ、無線ＬＡＮなどの各種通信規格に準拠したネットワーク通信を行う。したがって、複合機１は、これら通信規格に準拠した外部通信機器とネットワーク通信部２７を介して通信することができる。
【００３８】
制御部８は、図５に示すように、ＣＰＵ（Central Processing Unit）８１、ＲＯＭ（Read Only Memory）８２、ＲＡＭ（Random Access Memory）８３、ＥＥＰＲＯＭ（Electrically Erasable Programmable Read-Only Memory）８４、ＡＳＩＣ（Application Specific Integrated Circuit）８５を含み、これらが協働して、プリント部１０、ファクシミリ通信部２６、ネットワーク通信部２７及び読取部３０の各部の動作を制御する。
【００３９】
ＲＡＭ８３は、読取部３０での原稿の読み取りによって生成された高解像度又は低解像度の画像データを一時的に格納する。本実施形態では、高解像度を有する画像データを用いた１部のみの印刷を行う場合、ＲＡＭ８３の容量制限のために、読取処理開始後であって読取処理終了前に印刷処理を開始し、画像データのうち印刷済みとなった部分を読取処理中に消去していく。以下、これをダイレクコピー（DirectCopy）モードと称する。一方、低解像度を有する画像データを用いた印刷を行う場合、読取処理終了後にＲＡＭ８３に格納された原稿１枚分に対応した画像データに基づいて複数部数の印刷処理を開始する。以下、これをメモリコピー（MemoryCopy）モードと称する。
【００４０】
ＥＥＰＲＯＭ８４は、読取部３０での原稿の読み取りのための制御パラメータを記憶する読取パラメータ記憶部、及び、複合機１の動作（給紙を行うトレイの選択、印刷画質、印刷方向、カラーモード、両面印刷、拡大縮小、ページ集約など）に関してユーザが設定可能な設定情報を記憶する設定情報記憶部として機能する。
【００４１】
読取部３０での原稿の読み取りのための制御パラメータとしては、例えば、読取部３０内の光源４３に流す電流値の調整パラメータ、読取部３０内のＡＤコンバータ４８の基準電圧の調整パラメータ、及び、画像データの濃度調整を行うための白黒濃度の補正パラメータがある。これらの制御パラメータは、読取部３０が後述する準備動作を行うことによって取得されるものである。制御パラメータは、読取部３０が高解像度及び低解像度のいずれの画像データを出力するかに応じて変更する必要があるため（高解像度に対応したものを第１制御パラメータと称し、低解像度に対応したものを第２制御パラメータと称する）、準備動作としても、高解像度に対応した第１準備動作、及び、低解像度に対応した第２準備動作の少なくともいずれか一方を行う必要がある。
【００４２】
本実施形態において、複合機１の動作に関してユーザが設定可能な設定情報のうち、給紙を行うトレイの選択情報として、給紙トレイ９１よりも用紙の最大積載量が少ないバイパストレイ９３が使用されることをＥＥＰＲＯＭ８４が記憶しているものとして、以下の説明を行う。
【００４３】
なお、図５では、ＣＰＵ８１及びＡＳＩＣ８５を１つずつ図示しているが、制御部８は、ＣＰＵ８１を１つだけ含み、この１つのＣＰＵ８１が必要な処理を一括して行うものであってもよいし、ＣＰＵ８１を複数含み、これら複数のＣＰＵ８１が必要な処理を分担して行うものであってもよい。また、制御部８は、ＡＳＩＣ８５を１つだけ含み、この１つのＡＳＩＣ８５が必要な処理を一括して行うものであってもよいし、ＡＳＩＣ８５を複数含み、これら複数のＡＳＩＣ８５が必要な処理を分担して行うものであってもよい。
【００４４】
［複合機及び携帯端末の動作］
次に、複合機１の特定キー（印刷スタートキー）２８を操作してコピー動作、すなわち複合機１の読取部３０で原稿を読み取ることによって生成された画像データを用いて、プリント部１０での用紙への画像形成を行う場合の複合機１の動作の一例について、図６をさらに参照して説明する。以下に説明する動作は、複合機１の制御部８による制御に従って実行される。なお、以下の例では、特定キー２８が最後に押下されてから１秒間押下がない時点でコピー枚数が確定されるものとする。
【００４５】
複合機１にコピー動作を行わせる場合、ユーザはまずプラテンガラス３１の画像読取面に原稿を配置してから、モノクロ又はカラーの特定キー２８を押下する。複合機１は、Ｓ１において、特定キー２８が押下されたかを判断し、押下されたと判断すると（Ｓ１：ＹＥＳ）、印刷部数として「１」をＲＡＭ８３に保存し、Ｓ２に進む。なお、特定キー２８が押下されたと判断すると同時に、制御部８はタイマのカウントを始める。Ｓ２においては、読取部３０が一次準備動作を開始する（一次準備動作開始処理）。本実施形態において、一次準備動作は、ダイレクコピーモードに対応しており、高解像度読取モードでの原稿の読み取りのための第１制御パラメータを取得するために行われる。具体的には、読取デバイス３３が上述したホームポジションにある状態において、所定の電流を光源４３に流したとき及び光源４３に電流を流さないときのそれぞれでイメージセンサ４１で筐体１１の所定の領域（例えば白領域と黒領域）を読み取って、その出力信号を制御部８で解析し、高解像度読取モードでの原稿の読み取りに適した各種の動作パラメータ（上述した光源４３に流す電流値の調整パラメータなど）を取得する。
【００４６】
なお、本実施形態において、一次準備動作がダイレクコピーモードに対応した第１準備動作であるのは、給紙を行うトレイの選択情報として、給紙トレイ９１よりも用紙の最大積載量が少ないバイパストレイ９３が使用されることをＥＥＰＲＯＭ８４が記憶しているからである。もし給紙を行うトレイの選択情報として給紙トレイ９１が使用されることをＥＥＰＲＯＭ８４が記憶している場合には、一次準備動作がメモリコピーモードに対応した第２準備動作（変形例２参照）となる。
【００４７】
Ｓ２において一次準備動作の開始後、特定キー２８がさらに押下されたかを判断する（Ｓ３）。押下されていない場合（Ｓ３：ＮＯ）、一次準備動作が完了したかを判断する（Ｓ４）。完了していない場合（Ｓ４：ＮＯ）、Ｓ３に戻る。なお、本実施形態は、一次準備動作が開始から１秒（つまりコピー枚数確定のための所定時間）以内で完了することを前提としている。つまり、Ｓ３において特定キー２８が押下されたと判断された場合には、その押下はＳ１での押下から１秒以内に行われたものであり、Ｓ１での押下によって出力された信号からＳ３での押下によって出力された信号までの間隔は１秒以内である。一次準備動作が完了すると（Ｓ４：ＹＥＳ）、一次準備動作において取得された第１動作パラメータをＥＥＰＲＯＭ８４に記憶する（Ｓ５）。
【００４８】
そして、Ｓ６において、第１動作パラメータを用いた高解像度読取モードでの読取部３０による原稿の読み取りを開始する。読み取りによって生成された画像データはＲＡＭ８３に保存される。なお、本実施形態において、ダイレクトコピー及びメモリコピーのいずれのモードでも、原稿の読み取りに要する時間は１秒よりも長い。Ｓ７では、特定キー２８が押下されたかを判断し、押下されていない場合（Ｓ７：ＮＯ）、Ｓ８において、Ｓ１での特定キー２８の押下から１秒経過したか（タイムアウトしたか）を判断する。１秒経過していない場合（Ｓ８：ＮＯ）、Ｓ７に戻って特定キー２８が押下されたかを繰り返して判断する。また、特定キー２８が押下された場合（Ｓ７：ＹＥＳ）、印刷部数が２以上と判断し（判断処理）、後述するＳ１３に進む。この場合も、Ｓ１での押下によって出力された信号からＳ７での押下によって出力された信号までの間隔は１秒以内である。なお、Ｓ７からＳ１３に進む場合は、Ｓ６で開始した読取処理が完了していないため、本発明において読取処理が実行されたとは見なさない。
【００４９】
１秒経過していた場合（Ｓ８：ＹＥＳ）、特定キー２８がＳ１で押下されてから１秒間押下がなかったことになるので、Ｓ９において、印刷部数が「１」であると判断し且つ印刷部数を「１」に決定する（判断処理及び決定処理）。また、Ｓ６で開始された読取部３０での画像の読み取りによって形成された高解像度の画像データに基づいて、Ｓ９において１部の印刷をプリント部１０が開始する。このとき、読取部３０での画像の読み取りは継続中である。また、ＲＡＭ８３に保存された画像データは、印刷が終わったものから順に消去される。
【００５０】
そして、Ｓ１０において原稿読取が完了した後（Ｓ６〜Ｓ１０が読取処理）、Ｓ１１において１部の印刷が完了し（Ｓ９〜Ｓ１１が記録処理）、ダイレクトコピーモードでのコピー動作が終了する。
【００５１】
Ｓ３に戻って、一次準備動作の完了前に特定キー２８がさらに押下された場合（Ｓ３：ＹＥＳ）、Ｓ１２において、印刷部数が２部以上であると判断し（判断処理）、Ｓ２で開始した一次準備動作を中断する。具体的には、光源４３への電流供給を中止し、途中まで行っていた演算を中止する。そして、Ｓ１３においてタイマをリセットし、印刷部数を＋１（ここでは２になる）する。なお、Ｓ７から移行してＳ１３を実行する場合には、さらに、ＲＡＭ８３に保存された画像データが削除される。
【００５２】
Ｓ１４では、読取部３０が二次準備動作を開始する（二次準備動作開始処理）。本実施形態において、二次準備動作は、メモリコピーモードに対応しており、低解像度読取モードでの原稿の読み取りのための第２制御パラメータを取得するために行われる。具体的な動作は上述したダイレクトコピーモードのときと同じである。
【００５３】
そして、Ｓ１５において、特定キー２８が押下されたかを判断する。押下されていない場合（Ｓ１５：ＮＯ）、二次準備動作が完了したかを判断する（Ｓ１７）。完了していない場合（Ｓ１７：ＮＯ）、Ｓ１５に戻る。なお、本実施形態は、二次準備動作が開始から１秒（つまりコピー枚数確定のための所定時間）以内で完了することを前提としている。一方、押下された場合（Ｓ１５：ＹＥＳ）、Ｓ１６において、タイマをリセットし、印刷部数を＋１し、Ｓ１５に戻って特定キー２８が押下されたかを繰り返して判断する。この場合も、Ｓ３、Ｓ７又はＳ１５での直前の特定キー２８の押下によって出力された信号からＳ１５での押下によって出力された信号までの間隔は１秒以内である。
【００５４】
二次準備動作が完了すると（Ｓ１７：ＹＥＳ）、二次準備動作において取得された第２動作パラメータをＥＥＰＲＯＭ８４に記憶する（Ｓ１８）。
【００５５】
そして、Ｓ１９において、第２動作パラメータを用いた低解像度読取モードでの読取部３０による原稿の読み取りを開始する。続いて、Ｓ２０では、原稿の読み取りが完了したかを判断する（Ｓ１９〜Ｓ２０が読取処理）。
【００５６】
完了していない場合（Ｓ２０：ＮＯ）、Ｓ２１において、Ｓ１３又はＳ１６でのタイマリセット、つまり最後の特定キー２８の押下から１秒経過したかを判断する。１秒経過した場合（Ｓ２１：ＹＥＳ）、Ｓ２０に戻って原稿の読み取りが完了したかを繰り返して判断する。１秒経過していない場合（Ｓ２１：ＮＯ）、Ｓ２２において特定キー２８がさらに押下されたかを判断する。押下されていない場合（Ｓ２２：ＮＯ）、Ｓ２０に戻って原稿の読み取りが完了したかを繰り返して判断する。一方、特定キー２８が押下された場合（Ｓ２２：ＹＥＳ）、Ｓ２３においてタイマをリセットし、印刷部数を＋１してＳ２０に戻る。この場合も、Ｓ３、Ｓ７、Ｓ１５又はＳ２２での直前の特定キー２８の押下によって出力された信号からＳ２２での押下によって出力された信号までの間隔は１秒以内である。
【００５７】
原稿の読み取りが完了したと判断すると（Ｓ２０：ＹＥＳ）、Ｓ２４において、Ｓ１９からＳ２０における読取部３０での画像の読み取りによって形成された低解像度の画像データに基づいて、この時点でＲＡＭ８３に記憶されている印刷部数の印刷をプリント部１０が開始する。続いて、Ｓ２５では、この時点でＲＡＭ８３に記憶されている印刷部数の印刷が完了したかを判断する（Ｓ２４〜Ｓ２５が記録処理）。印刷が完了していない場合には（Ｓ２５：ＮＯ）、Ｓ２６において、Ｓ１３、Ｓ１６、Ｓ２３又は後述するＳ２９でのタイマリセット、つまり最後の特定キー２８の押下から１秒経過したかを判断する。１秒経過していた場合（Ｓ２６：ＹＥＳ）、Ｓ２７において、印刷部数を２以上の特定キー２８の押下回数に決定し（決定処理）、Ｓ２５に戻る。
【００５８】
１秒経過していない場合（Ｓ２６：ＮＯ）、Ｓ２８において特定キー２８がさらに押下されたかを判断する。押下されていない場合（Ｓ２８：ＮＯ）、Ｓ２５に戻って印刷が完了したかを繰り返して判断する。一方、特定キー２８が押下された場合（Ｓ２８：ＹＥＳ）、Ｓ２９においてタイマをリセットし、印刷部数を＋１してＳ２０に戻る。この場合も、Ｓ３、Ｓ７、Ｓ１５、Ｓ２２又はＳ２８での直前の特定キー２８の押下によって出力された信号からＳ２８での押下によって出力された信号までの間隔は１秒以内である。
【００５９】
印刷が完了した場合には（Ｓ２５：ＹＥＳ）、特定キー２８の押下回数に応じた複数枚のメモリコピーモードでのコピー動作が終了する。
【００６０】
このように、本実施形態では、Ｓ９で印刷部数が確定するよりも前に、Ｓ２において一次準備動作を開始するので、印刷部数が１枚であってＳ２で開始した一次準備動作に適合していれば、Ｓ１での特定キー２８の押下からＳ１１での印刷完了までに要する時間を短くすることができる。また、印刷部数が２枚以上であってＳ２で開始した一次準備動作に適合していなくても、Ｓ２７で印刷部数が確定するよりも前にＳ１４において二次準備動作を開始するので、この場合においても、Ｓ１での特定キー２８の押下からＳ２５での印刷完了までに要する時間を短くすることができる。
【００６１】
また、本実施形態では、Ｓ３において特定キー２８が押下されたと判断した場合に（Ｓ３：ＹＥＳ）、Ｓ１２において一次準備動作を中断している。この中断によって不要となった一次準備動作が完了するのを待つ必要が無く二次準備動作を開始することができるので、印刷部数が一次準備動作に適合したものでない場合に（本実施形態では２部以上の場合）、印刷完了（Ｓ２５：ＹＥＳ）までに要する時間をさらに短くすることができる。
【００６２】
また、本実施形態では、Ｓ４で一次準備動作が完了したと判断された後であってタイムアウトする前に特定操作キー２８が押下されることがある。そして、一次準備動作が完了したと判断されると（Ｓ４：ＹＥＳ）、直ちに高解像度読取モードでの読取処理を開始し（Ｓ６）、タイムアウトするまでは特定操作キー２８が押下されることによる印刷部数の追加を許容している（Ｓ７：ＹＥＳ、Ｓ１３）。このように、本実施形態では、印刷部数が１部又は２部以上のいずれであるかを判断するよりも前にＳ６において高解像度読取モードでの読取処理を開始しているので、ダイレクトコピーモードにおける印刷完了（Ｓ１１）までに要する時間を短くすることができる。
【００６３】
さらに、本実施形態では、制御部８は、上述した説明から理解できるように、Ｓ１において最初に特定キー２８から出力された信号から、隣接する信号との間隔が１秒を超えない範囲となるように特定キー２８から出力された信号の数を印刷部数として決定している（Ｓ９，Ｓ２７）。これにより、簡易な構造を有する１つの特定キー２８を信号出力部として用いることができる。
【００６４】
そして、Ｓ６からＳ１０とＳ１９からＳ２０の読取処理及びＳ２４からＳ２５の記録処理の実行中においても、隣接する信号との間隔が１秒を超えない範囲で特定キー２８から信号が出力された場合には、記録部数を追加している。このようにすることで、本実施形態に係る複合機１は、ユーザにとって利便性の高いものとなっている。
【００６５】
また、本実施形態では、ＥＥＰＲＯＭ８４が給紙を行うトレイの選択情報として、給紙トレイ９１よりも用紙の最大積載量が少ないバイパストレイ９３が使用されることを記憶しており、一次準備動作として第１準備動作を行う。これは、バイパストレイ９３からの給紙が行われる場合には比較的印刷部数が少ないことが多く、特定キー２８の押下によって決定される印刷部数が第１準備動作に適合したものとなる可能性が高くなるため、記録完了までに要する時間を短くすることができる可能性がより高くなるからである。
【００６６】
［変形例１］
次に、図７を参照して上述した実施形態の変形例１について説明する。変形例１は、一次準備動作及び二次準備動作が開始から１秒（つまりコピー枚数確定のための所定時間）よりも長い時間で完了することを前提としている。以下の説明では、上述した実施形態との相違点を中心として説明する。
【００６７】
図７において、一次準備動作の完了前に特定キー２８がさらに押下された場合（Ｓ３：ＹＥＳ）、Ｓ３１に進む。Ｓ３１では、Ｓ１での特定キー２８の押下から１秒経過したかを判断する。１秒経過していた場合（Ｓ３１：ＹＥＳ）、特定キー２８の当該押下によって印刷部数が＋１されることなく、Ｓ４に戻って一次準備動作が完了したかを判断する。一次準備動作が完了すると（Ｓ４：ＹＥＳ）、Ｓ５’において、印刷部数が「１」であると判断し且つ印刷部数を「１」に決定し（判断処理及び決定処理）、さらに一次準備動作において取得された第１動作パラメータをＥＥＰＲＯＭ８４に記憶する。
【００６８】
そして、Ｓ６において、第１動作パラメータを用いた高解像度読取モードでの読取部３０による原稿の読み取りを開始する。その後、上述した実施形態で説明したＳ７及びＳ８を行わずに、Ｓ６で開始された読取部３０での画像の読み取りによって形成された高解像度の画像データに基づいて、Ｓ９’において１部の印刷をプリント部１０が開始する。その後は、印刷完了（Ｓ１１）まで上述した実施形態と同様の処理を行う。
【００６９】
１秒経過していた場合（Ｓ３１：ＮＯ）、Ｓ１２において、印刷部数が２部以上であると判断し（判断処理）、Ｓ２で開始した一次準備動作を中断する。その後は、Ｓ１３、Ｓ１４及びＳ１５と上述した実施形態と同様の処理を行ってから、Ｓ３２において、Ｓ１３又はＳ１６でのタイマリセット、つまり最後の特定キー２８の押下から１秒経過したかを判断する。１秒経過した場合（Ｓ３２：ＹＥＳ）、Ｓ１５に戻って特定キー２８が押下されたかを繰り返して判断する。１秒経過していない場合（Ｓ３２：ＮＯ）、Ｓ１６においてタイマをリセットし、印刷部数を＋１し、Ｓ１５に戻って特定キー２８が押下されたかを繰り返して判断する。以後、印刷完了（Ｓ２５：ＹＥＳ）まで上述した実施形態と同様の処理を行う。
【００７０】
本実施形態においても、Ｓ５’で印刷部数が確定するよりも前に、Ｓ２において一次準備動作を開始するので、印刷部数が１枚であってＳ２で開始した一次準備動作に適合していれば、Ｓ１での特定キー２８の押下からＳ１１での印刷完了までに要する時間を短くすることができる。また、印刷部数が２枚以上であってＳ２で開始した一次準備動作に適合していなくても、Ｓ２７で印刷部数が確定するよりも前にＳ１４において二次準備動作を開始するので、この場合においても、Ｓ１での特定キー２８の押下からＳ２５での印刷完了までに要する時間を短くすることができる。その他、上述した実施形態で説明したいくつかの効果を得ることができる。
【００７１】
［変形例２］
次に、図８を参照して上述した実施形態の変形例２について説明する。変形例２は、上述した実施形態において、一次準備動作開始処理で第２準備動作を開始し且つ二次準備動作開始処理で第１準備動作を開始するものである。また、変形例２では、上述した実施形態と同じく、一次準備動作及び二次準備動作が開始から１秒（つまりコピー枚数確定のための所定時間）未満で完了することを前提としている。以下の説明では、上述した実施形態との相違点を中心として説明する。
【００７２】
まず、Ｓ５１で特定キー２８が押下されたと判断すると（Ｓ５１：ＹＥＳ）、印刷部数として「１」をＲＡＭ８３に保存し、Ｓ５２に進む。なお、特定キー２８が押下されたと判断すると同時に、制御部８はタイマのカウントを始める。Ｓ５２においては、読取部３０が一次準備動作を開始する（一次準備動作開始処理）。本実施形態において、一次準備動作は、メモリコピーモードに対応しており、低解像度読取モードでの原稿の読み取りのための第２制御パラメータを取得するために行われる。
【００７３】
なお、本実施形態において、一次準備動作がメモリコピーモードに対応しているのは、ＥＥＰＲＯＭ８４が給紙を行うトレイの選択情報として、バイパストレイ９３よりも用紙の最大積載量が多い給紙トレイ９１が使用されることを記憶しているからである。
【００７４】
Ｓ５２において一次準備動作の開始後、特定キー２８がさらに押下されたかを判断する（Ｓ５３）。押下されていない場合（Ｓ５３：ＮＯ）、一次準備動作が完了したかを判断する（Ｓ５４）。完了していない場合（Ｓ５４：ＮＯ）、Ｓ５３に戻る。Ｓ５３において特定キー２８が押下されたと判断した場合に（Ｓ３：ＹＥＳ）、Ｓ５５において、タイマをリセットし、印刷部数を＋１してからＳ５４に進む。一次準備動作が完了すると（Ｓ５４：ＹＥＳ）、一次準備動作において取得された第２動作パラメータをＥＥＰＲＯＭ８４に記憶する（Ｓ５６）。
【００７５】
そして、Ｓ５７において、第２動作パラメータを用いた低解像度読取モードでの読取部３０による原稿の読み取りを開始する。読み取りによって生成された画像データはＲＡＭ８３に保存される。なお、本実施形態において、ダイレクトコピー及びメモリコピーのいずれのモードでも、原稿の読み取りに要する時間は１秒よりも長い。Ｓ５８では、Ｓ５１又はＳ５３での特定キー２８の押下から１秒経過したか（タイムアウトしたか）を判断する。１秒経過していない場合（Ｓ５８：ＮＯ）、Ｓ５９において特定キー２８が押下されたかを判断し、押下されていない場合（Ｓ５９：ＮＯ）、Ｓ６１に進む。
【００７６】
また、特定キー２８が押下された場合（Ｓ５９：ＹＥＳ）、Ｓ６０において、タイマをリセットし、印刷部数を＋１してからＳ６１に進む。続いて、Ｓ６１では、原稿の読み取りが完了したかを判断する（Ｓ５７〜Ｓ６１が読取処理）。完了していない場合（Ｓ６１：ＮＯ）、Ｓ５８に戻って１秒経過したかを繰り返して判断する。
【００７７】
１秒経過していた場合（Ｓ５８：ＹＥＳ）、Ｓ６２（判断処理）において、印刷部数が２以上として記憶されているか、つまりタイムアウトまでに特定キー２８が２回以上押下されたかを判断する。印刷部数が２以上であれば（Ｓ６２：ＹＥＳ）、Ｓ６１に進み、印刷部数が１であれば（Ｓ６２：ＮＯ）、Ｓ６３に進む。Ｓ６３においては、印刷部数を「１」に決定し（決定処理）、さらにＳ５７で開始した原稿の読み取りを中断する。なお、Ｓ６２からＳ６３に進む場合は、Ｓ５７で開始した読取処理が完了していないため、本発明において読取処理が実行されたとは見なさない。
【００７８】
なお、Ｓ６１で原稿の読み取りが完了したかと判断されると（Ｓ６１：ＹＥＳ）、Ｓ２４に進む。Ｓ２４以降はＳ２５で印刷完了と判断されるまで上述した実施形態と同じ処理を行うので、説明を省略する。
【００７９】
そして、Ｓ６４では、読取部３０が二次準備動作を開始する（二次準備動作開始処理）。本実施形態において、二次準備動作は、ダイレクトコピーモードに対応しており、高解像度読取モードでの原稿の読み取りのための第１制御パラメータを取得するために行われる。続いて、二次準備動作が完了したかを判断する（Ｓ６５）。完了すると（Ｓ６５：ＹＥＳ）、Ｓ６６に進んで、二次準備動作において取得された第１動作パラメータをＥＥＰＲＯＭ８４に記憶する（Ｓ６６）。
【００８０】
そして、Ｓ６７において、第１動作パラメータを用いた高解像度読取モードでの読取部３０による原稿の読み取りを開始する。読み取りによって生成された画像データはＲＡＭ８３に保存される。続いて、Ｓ６７で開始された読取部３０での画像の読み取りによって形成された高解像度の画像データに基づいて、Ｓ６８において１部の印刷をプリント部１０が開始する。このとき、読取部３０での画像の読み取りは継続中である。また、ＲＡＭ８３に保存された画像データは、印刷が終わったものから順に消去される。
【００８１】
そして、Ｓ６９において原稿読取が完了した後（Ｓ６７〜Ｓ６９が読取処理）、Ｓ７０において１部の印刷が完了し（Ｓ６８〜Ｓ７０が記録処理）、メモリコピーモードでのコピー動作が終了する。
【００８２】
このように、本変形例では、Ｓ２７で印刷部数が確定するよりも前に、Ｓ２において一次準備動作を開始するので、印刷部数が２枚以上であってＳ２で開始した一次準備動作に適合していれば、Ｓ１での特定キー２８の押下からＳ２５での印刷完了までに要する時間を短くすることができる。なお、本変形例では、印刷部数が１枚であってＳ２で開始した一次準備動作に適合していない場合、Ｓ６３で印刷部数が確定したのとほぼ同時にＳ６４において二次準備動作を開始するので、従来よりも印刷完了までに要する時間が長くなることはない。その他、上述した実施形態で説明したいくつかの効果を得ることができる。
【００８３】
［その他の変形例］
その他、上述した実施形態は、以下のように変更することが可能である。
・最初に特定キー２８が押下されたときに第１及び第２のどちらの準備動作を行うかは、給紙を行うトレイの選択情報以外の設定情報に応じて決定してもよい。
・最初に特定キー２８が押下されたときに第１及び第２のどちらの準備動作を行うかは、設定情報以外の要因によって決められてもよい。たとえば、常に第１準備動作を行うとしてもよい。
・図６及び図８においてＳ４及びＳ５４で一次準備動作が完了してからタイムアウトを待たずにＳ６及びＳ５７で原稿読み取りを開始するのではなく、タイムアウトを待って原稿読み取りを開始してもよい。
【００８４】
・判断処理及び決定処理は、特定キー２８から出力された信号パターン、例えば特定キー２８の押下継続時間に基づいて行ってもよい。
・本発明において、操作キー２８以外の信号出力部が用いられてもよく、例えば信号出力部がテンキー又はタッチパネルであってもよい。つまり、信号出力部としては、出力された信号パターンによって、記録部数が所定部数未満又は以上のいずれかを判断でき、連続した記録部数を決定することができるものであればよい。
【００８５】
・上述した変形例１（図７）において、一次準備動作開始処理で第２準備動作を開始し且つ二次準備動作開始処理で第１準備動作を開始してもよい。
・上述した実施形態に係る複合機１はＥＥＰＲＯＭとＲＡＭとを有しているが、どちらか一方だけを有していてもよい。
・Ｓ１２での一次準備動作の中断を行わず、一次準備動作をそのまま継続してもよい。
・部数の追加は読取処理及び記録処理中には受け付けないとしてもよい。
・準備動作で取得される制御パラメータは、上述した実施形態で説明したもの以外を含んでいてよい。
【００８６】
・上述の実施形態では、ノズルから吐出されたインクによって画像の記録を行うインクジェット式の画像記録部を有する複合機を例に説明したが、本発明は、例えばレーザ式などインクジェット式以外の記録形式の記録部を有する画像形成装置にも適用することが可能である。
【符号の説明】
【００８７】
１  複合機（画像形成装置）
６  記録部
７  搬送部
８  制御部
１０  プリント部（記録部）
２８  操作キー（信号出力部）
３０  読取部
４１  イメージセンサ
８４  ＥＥＰＲＯＭ（設定情報記憶部）
９１  給紙トレイ
９３  バイパストレイ
【図１】
2020162097.tif 000003
【図２】
2020162097.tif 000004
【図３】
2020162097.tif 000005
【図４】
2020162097.tif 000006
【図５】
2020162097.tif 000007
【図６】
2020162097.tif 000008
【図７】
2020162097.tif 000009
【図８】
2020162097.tif 000010